(57)【要約】  ワイヤレスマイクロホン、ギター送信機又はポケット送信機のための高周波ＨＦ送信機が提供される。上記送信機は、少なくとも１つのアンテナ（３０，７０，８５）と、高周波オーディオ信号を増幅する電力増幅器（４０）と、アンテナ（３０，７０，８５）を介して結合された干渉信号を検出する干渉信号検出部（６０，６５）と、検出部（６０，６５）の出力に設けられ上記干渉信号検出部（６０，６５）によって検出された干渉信号の電力を検出する電力検出器（５０）と、上記電力検出器によって検出された出力信号の電力に依存して上記電力増幅器（４０）の動作点電力を調整する動作点調整部（２０）とを備える。
2015508266.tif 000002
【特許請求の範囲】
【請求項１】
特にワイヤレスマイクロホン、ギター送信機又はポケット送信機のための高周波送信機であって、
少なくとも１つのアンテナ（３０，７０，８５）と、
送信すべき高周波信号を増幅する電力増幅器（４０）と、
上記アンテナ（３０，７０，８５）を介して結合された干渉信号を検出する干渉信号検出部（６０，６５）と、
上記干渉信号検出部（６０，６５）によって検出された干渉信号の電力を検出する電力検出器（５０）と、
上記電力検出器（５０）によって検出された出力信号の電力に依存して上記電力増幅器（４０）の動作点電力を調整する動作点調整部（２０）とを備える高周波送信機。
【請求項２】
上記干渉信号検出部（６０）は、上記電力増幅器（４０）の出力と上記送信機の出力（ＯＵＴ）との間に設けられ、上記アンテナ（３０，７０，８５）を介して結合された干渉信号を検出する方向性結合器（６０）を備える請求項１記載の送信機。
【請求項３】
上記干渉信号検出部（６５）は、上記電力増幅器（４０）の入力信号（４０）と、上記アンテナ（３０，７０，８５）を介してで結合された干渉信号を混合するミキサ（６５）を備え、
上記ミキサ（６５）は、上記干渉信号をベースバンド位置に混合し、
上記ミキサ（６５）の出力信号は、上記ベースバンド位置において上記アンテナ（３０，７０，８５）を介して結合された干渉信号を含む請求項１記載の送信機。
【請求項４】
上記動作点調整部（２０）は、上記アンテナ（３０，７０，８５）を介して結合された干渉電力がしきい値を超えたとき上記電力増幅器（４０）の動作点電力を増大させ、上記干渉電力がしきい値未満に低下したときに上記動作点電力を減少させるように適合される請求項１〜３のうちのいずれか１つに記載の送信機。
【請求項５】
上記動作点調整部（２０）は、上記アンテナ（３０，７０，８５）を介して結合された干渉電力に依存して上記電力増幅器（４０）の動作点電力を調整するように適合され、
上記動作点電力は、上記干渉電力が増加するにつれて増大され、上記干渉電力が減少するにつれて減少される請求項１〜３のうちのいずれか１つに記載の送信機。
【請求項６】
上記動作点調整部（２０）は上記電力増幅器（４０）の動作点電力をステップなしに調整するように適合される請求項５記載の送信機。
【請求項７】
上記送信機はさらに、上記電力増幅器（４０）の入力の前段に設けられ、上記電力検出器（５０）によって検出された干渉電力に依存して電力増幅器（４０）の入力電力を制御する、調整可能な減衰器（１０）及び／又は調整可能な増幅器を備える請求項１〜６のうちのいずれか１つに記載の送信機。
【請求項８】
請求項１〜７のうちのいずれか１つに記載の高周波送信機を備える、ワイヤレスマイクロホン、ギター送信機又はポケット送信機。
【請求項９】
高周波信号を送信する方法であって、
電力増幅器（４０）によって送信される高周波信号を増幅するステップと、
アンテナを介して結合される干渉信号を干渉信号検出部（６０，６５）によって検出するステップと、
上記干渉信号検出部（６０，６５）によって検出された干渉信号の電力を検出するステップと、
上記電力検出器（５０）によって検出される干渉信号の電力に依存して上記電力増幅器（４０）の動作点電力を調整するステップとを含む方法。
【発明の詳細な説明】
【技術分野】
【０００１】
本発明は、高周波送信機、ワイヤレスマイクロホン、及びギター送信機又はポケット送信機に関する。
【背景技術】
【０００２】
ワイヤレスマイクロホン、無線ギター送信機又は無線ポケット送信機において、例えば使用されるような高周波送信機は、典型的には、複数のオーディオ信号の送信のために、複数のＨＦ無線信号を無線送信するための高周波送信出力段を備えている。
【０００３】
図１は、従来技術に係る高周波送信機の概略ブロック回路図を示す。高周波送信機５００は、入力ＩＮと、出力ＯＵＴと、送信機出力段又は電力増幅器４０と、動作点調整部２０とを備える。調整可能な減衰器１０の入力信号は、入力信号ＩＮを表す。調整可能な減衰器１０の出力信号は、増幅器又は送信機出力段４０に結合される。送信アンテナ７０（又はその複数）は出力ＯＵＴにおいて提供される。その点では、外部の高周波ＨＦ送信機の別の送信アンテナ８０から送信アンテナ７０を介して送信機出力段４０において複数の無線信号（複数の高周波信号）が影響を与える可能性がある。そのような状況は、２つ又はそれ以上のモバイル送信機は空間的に互いに接近する場合に発生することができ、もしくは、例えば、静止送信機（移動式携帯電話、テレビ送信機等）がある環境でモバイル送信機が動作したときに起こりうる。図１に示される状況は、高周波送信機５０から送信される高周波信号との相互作用をもたらし、これにより望ましくない二次放射（secondary emissions）の発生につながる可能性がある。従って、もし高周波送信機５０がバッテリモードで動作しており、送信機出力段４０が典型的には高周波送信機５００の消費電力を低減するために、非線形動作点で動作させた場合、その状況はさらに悪化する可能性がある。
【０００４】
望ましくない二次放射を減少させるために、送信機出力段４０内の送信トランジスタの動作点電力はできるだけ高くなるように選択することができる。特に、動作点電力が固定的に設定され、すなわち、それは動作点電力が可変ではない場合である。動作点電力の変化は、動作点電力における温度及び／又は許容誤差を誘起するゆらぎに関して補償の方法得でのみ実施することができる。その方法においては、送信トランジスタが永久に高いＰ１ｄＢ圧縮点を持っていることを確実にすることができる。そのような高いＰ１ｄＢ圧縮点は低い二次放射をもたらす。一方、恒久的に高いＰ１ｄＢ圧縮点は、高電力を要求するという欠点がある。そして、高電力の要求は、バッテリ駆動の送信機に対して動作時間の減少をもたらす。
【０００５】
特許文献１は、入力又は出力の方向性結合器を有する送信機出力段を開示している。送信機の送信電力の一部は方向性結合器によって結合されて出力され、整流される。送信トランジスタのバイアス電圧は整流して得られる直流電圧に依存して変化する。換言すれば、バイアス電圧は、特定の送信出力電力のレベルに依存して変更される。
【０００６】
特許文献２は、高周波ＨＦ送信機の増幅器が開示されている。方向性結合器は、出力送信電力を検出する。送信電力は、送信周波数において電力検出器を用いて送信電力を検出することに代えて、送信信号をより低い周波数に混合することによって検出される。それは低い周波数での送信電力を測定することが容易であるのでそれがなされる。
【０００７】
優先権主張されたドイツ国特許出願において、ドイツ国特許庁は、以下の公報を検索した。特許文献３、４及び５。
【先行技術文献】
【特許文献】
【０００８】
【特許文献１】米国特許第５３１１１４３号明細書
【特許文献２】英国特許第２３６９７３４号明細書
【特許文献３】ドイツ国特許出願公開第１０３４０８０８号公報
【特許文献４】米国特許第５４２０５５２号明細書
【特許文献５】米国特許第５６２９６５３号明細書
【発明の概要】
【発明が解決しようとする課題】
【０００９】
本発明の目的は、望ましくない二次放射の放出を低減し、かつ、送信機の電力消費を低減する改良された高周波送信機を提供することにある。
【課題を解決するための手段】
【００１０】
上記目的は請求項１に記載の高周波送信機によって達成される。
【００１１】
このように（ワイヤレスマイクロホン、ギター送信機又はポケット送信機のための）高周波送信機が提供される。上記送信機は、少なくとも１つのアンテナと、送信すべき高周波信号を増幅する電力増幅器と、上記アンテナを介して結合された干渉信号を検出する干渉信号検出部と、上記干渉信号検出部によって検出された複数の干渉信号の電力を検出する電力検出器と、上記アンテナを介して結合される干渉電力に依存して上記電力増幅器の動作点電力を調整する動作点調整部とを備える。動作点電力の調整は、例えば、送信出力段に含まれる送信トランジスタのバイアス及び／又はドレイン又はコレクタの調整により達成できる。
【００１２】
本発明の一態様によれば、上記干渉信号検出部は、上記電力増幅器の出力と上記送信機の出力との間に設けられ、送信アンテナを介して結合された干渉電力を検出する方向性結合器を備える。
【００１３】
本発明の別の態様によれば、上記干渉信号検出部は、上記電力増幅器の入力信号と出力信号を混合するミキサを備える。上記電力増幅器の出力信号はまた、送信アンテナを介して結合される干渉電力を有する。上記ミキサの出力信号は送信アンテナによって結合される干渉電力を含む。
【００１４】
本発明の別の態様によれば、動作点調整部は、アンテナを介して結合された干渉電力がしきい値を超えたとき電力増幅器の動作点電力を増大させ、干渉電力がしきい値未満に低下したときに上記動作点電力を減少させるように適合される。
【００１５】
本発明の別の態様によれば、動作点調整部は、アンテナを介して結合された干渉電力に依存して電力増幅器の動作点電力を調整するように適合され、上記動作点電力は、干渉電力が増加するにつれて増大され、干渉電力が減少するにつれて減少される。
【００１６】
本発明の別の態様によれば、電力変圧器の動作点電力の調整は、種々のステップ（段階）で又はステップ（段階）なしで達成される。
【００１７】
本発明の別の態様によれば、送信機は、送信機の入力と電力増幅器の入力との間に設けられ、上記電力検出器によって検出される干渉電力に依存して電力増幅器の入力電力を制御する調整可能な減衰器を備える。
【００１８】
電力増幅器は入力信号ＩＮを受信する。その信号の周波数は高周波ＨＦの範囲内であることが好ましい。有用な信号を送信するために、入力信号ＩＮは変調された高周波ＨＦ信号を表すことができる。この場合において、送信すべき有用な信号は、入力信号ＩＮとして電力増幅器に供給される前に、高周波ＨＦ信号の変調のために使用される。有用な信号は、例えば、オーディオ信号を表すことができる。あるいはそれは、例えば、デジタル符号化情報を含むか、又はテレビ信号を表すことができる。有用信号の別の種類は、本発明の適用領域に含まれている。
【００１９】
本発明はまた、高周波信号を送信する方法に関する。送信すべき高周波信号は、電力増幅器で増幅される。アンテナを介して結合される外部干渉信号（すなわち、外部の高周波送信機からの干渉信号ということもある）は干渉信号検出部により検出される。干渉信号検出部により検出された複数の干渉信号の電力は電力検出器によって検出される。電力増幅器の動作点電力は、電力検出器により検出される複数の干渉信号の電力に依存して動作点調整部により調整される。
【発明の効果】
【００２０】
本発明は、動作点電力（電流及び電圧）の動的調整の概念に基づく、すなわち、アンテナにおいて結合される複数の外部高周波信号（複数の干渉信号）のレベル又は電力に依存してＰ１ｄＢ圧縮点の動的調整の概念に基づいている。その点では、高結合されて入力された外来の複数の高周波信号（すなわち、高電力である）は高い動作点電力をもたらし、低結合されて入力された複数の高周波信号は低い動作点電力をもたらす。その点において、動作点電力の高レベルは送信機出力段（電力増幅器４０）の増加された線形性をもたらし、これにより、二次放射の減少をもたらす。
【００２１】
本発明は、例えば、ワイヤレスマイクロホン、無線ギター送信機又は無線ポケット送信機のための高周波ＨＦ送信機を提供するという概念に関し、ここで、高周波ＨＦ送信機は調整可能な複数の動作点を有する増幅器を有する。オプショナルで、増幅器とアンテナとの間に方向性結合器を設けることができ、当該方向性結合器は、増幅器から送信されるべき複数の出力信号を検出しないが、隣接する他の外部の複数の高周波ＨＦ送信機からアンテナを介して受信され又は結合された干渉を検出し、また、これらの信号に基づいて増幅器の動作点又は増幅器の動作点電力を調整することができる。もしアンテナによって受信されて結合された干渉がもはや存在しない場合は、動作点電力が高周波ＨＦ送信機の電力消費に関して正の効果を有し、再び減少させることができる。送信機の動作点の動的調整のおかげで、最大動作点電力は、干渉電力の高レベルで結合又はアンテナを介して受信された場合にのみ設定されている。これらの干渉電力がもはや存在している場合には、動作点電力を低減することができない。
【００２２】
本発明のさらなる構成は、従属請求項の主題である。
【００２３】
本発明の一例として、利点及び実施形態が、図面を参照してより詳細に説明されている。
【図面の簡単な説明】
【００２４】
【図１】従来技術に係る無線送信機の概略ブロック回路図を示す。
【図２】第１の実施形態に係る高周波ＨＦ送信機の概略ブロック回路図を示す。
【図３】第２の実施形態に係る高周波ＨＦ送信機の概略ブロック回路図を示す。
【図４】第３の実施形態に係る高周波ＨＦ送信機の概略ブロック回路図を示す。
【図５】第４の実施形態に係る高周波ＨＦ送信機の概略ブロック回路図を示す。
【図６】第５の実施形態に係るワイヤレスマイクロホンの概略図を示す。
【図７】第６の実施形態に係るギター送信機又はポケット送信機の概略ブロック回路図を示す。
【図８】干渉電力に依存して１ｄＢ圧縮点の適応を図示するグラフを示す。
【図９】図２〜図５の無線送信機のトランジスタの種々の出力特性曲線ファミリーのグラフを示す。
【図１０】送信機出力段の種々の動作点を図示するためのグラフを示す。
【発明を実施するための形態】
【００２５】
図２は、第１の実施形態に係る高周波ＨＦ送信機の概略ブロック回路図を示す。その入力ＩＮにおいて、高周波送信機１００は、調整可能な減衰器（又は調整可能な増幅器）１０と、電力増幅器（送信機出力段）４０と、動作点調整部２０とを備え、オプショナルで電力増幅器４０の出力において方向性結合器６０を備え、オプショナルで方向性結合器６０の出力において電力検出器５０を備える。電力検出器５０の出力は、調整可能な減衰器１０及び動作点調整部２０に結合される。電力増幅器４０の出力は、送信アンテナ７０に結合される。
【００２６】
方向性結合器６０は、それが電力増幅器４０から送信される出力信号（すなわち、複数の出力信号といえる）を検出しないが、アンテナ７０によって受信され又は結合される、それらの複数の干渉信号（外来の高周波ＨＦ送信機からの複数の高周波ＨＦ信号）を検出するように設計される。アンテナ７０によって結合される干渉電力（すなわち、アンテナによって結合され、例えば隣接する他の複数の高周波ＨＦ送信機によって生成されている外部の複数の高周波ＨＦ信号といえる）は方向性結合器６０の手段によって結合されて出力され、電力検出器５０によって検出される。電力増幅器４０の動作点電力は電力検出器５０によって検出された干渉電力のレベルに依存して調整される。そのことは、動作点調整部２０によって行われる。調整可能な減衰器又は調整可能な増幅器１０は電力増幅器４０の出力電力を一定に保持するように動作する。つまり、そのことは、調整可能な減衰器１０によって調整される、電力増幅器４０の入力電力によって行われる。
【００２７】
本発明によれば、方向性結合器６０は、送信アンテナ７０によって結合される干渉電力又は信号を検出する。従って、方向性結合器６０は送信される電力増幅器４０の出力電力を検出しない。さらに、アンテナ７０によって結合される干渉電力（結合されて入力される外部の複数の高周波ＨＦ信号）は方向性結合器６０及び電力検出器５０の手段によって検出され、動作点調整部２０に入力される。（アンテナ７０に結合された）検出された干渉電力に基づいて、電力増幅器４０の動作点電力は調整される。電力増幅器４０の動作点は動作点電力の調整により調整することができる。
【００２８】
実際に検出され又は結合される干渉電力が方向性結合器６０及び電流検出器５０の手段により検出できるという事実のおかげで、干渉電力の発生期間（動作点電力が増大する可能性がある期間）において動作点調整部２０を用いて動作点が適応化される。電力増幅器の線形性はまた増加された動作点電力により増大させることができる。従って、電力増幅器４０の１ｄＢ圧縮点（Ｐ１ｄＢ）は結合されて入力された干渉電力に依存して動的に調整することができる。
【００２９】
電力増幅器の総合利得が可変動作点電力を用いて一定に保つことができるように、増幅器の入力電力は、結合されて入力された干渉電力に依存して調整可能な減衰器１０によって調整することができる。
【００３０】
本発明に係る高周波ＨＦ送信機のおかげで、互いに相対的に隣接する複数の無線送信機の空間的な近接のために、二次放射を回避することができ、電力増幅器４０は動作点電力の増大による動作点調整の提供により非常に高い線形性で動作することができる。線形性における増大は増大される電力の要求を含むので、電力増幅器４０の線形性における当該増大は、アンテナを介して結合される干渉電力がしきい値を超えるときにのみおこる。それに対する代替例として、当該電力は、結合されて入力される干渉電力のレベルに依存してステップなしで（自動的に）調整することができる。
【００３１】
動作点電力の恒久的な増加は、特にモバイルデバイス及びバッテリ駆動デバイスに関して望ましくない。従って、増加される動作点電力は、それが実際に必要な場合にのみ提供されるように、電力増幅器４０の増加した直線性及び増加した動作点電力との間で比較評価することが必要である。
【００３２】
図３は、第２実施形態に係る高周波ＨＦ送信機の概略ブロック回路図を示す。その入力ＩＮにおいて、高周波ＨＦ送信機２００は、調整可能な減衰器１０と、電力増幅器４０と、動作点調整部２０と、電力増幅器４０と、電力増幅器４０と並列関係にあるミキサ６５と、電力検出器５０とを備える。調整可能な減衰器１０は、電力増幅器４０の入力に連結される。調整可能な減衰器１０の出力と、電力増幅器４０の出力とは、ミキサ６５に結合される。ミキサ６５の出力信号はバンドパスフィルタ５５によってフィルタリングすることができる。電力検出器５０の出力信号は、オプショナルで調整可能な減衰器１０及び動作点調整部２０に入力することができる。
【００３３】
アンテナ７０を介して結合されて入力される外来の高周波電力は送信信号とともにミキサ６５に供給され、増幅されない送信信号と混合される。外来の高周波信号はミキサ６５において混合することによりベースバンドに混合される。和の周波数及び積の周波数における複数の積は、バンドパスフィルタ５５により除去される。ベースバンドに混合された外来の高周波信号は電力検出器５０に供給され、電力検出器５０は外来の高周波電力に依存してＤＣ電圧を生成する。動作点電力はＤＣ電圧のレベルに依存して動作点調整部２０によって調整される。動作点電力の変動により発生する送信トランジスタの利得における変化は減衰器１０によって補償することができる。
【００３４】
純粋の干渉信号はミキサ６５において混合することにより得ることができる。電力増幅器４０の動作点電力は干渉電力のレベルに依存して、特に動作点調整部２０により調整される。入力電力は、出力電力を一定に保持することができるように調整可能な減衰器１０の手段により調整される。
【００３５】
図４は、第３の実施形態に係る高周波ＨＦ送信機の概略ブロック回路図を示す。第３の実施形態に係る高周波ＨＦ送信機は、第１又は第２の実施形態に係る高周波ＨＦ送信機に基づいて構成できる。高周波ＨＦ送信機３００は、入力ＩＮと、調整可能な減衰器１０と、電力増幅器４０と、動作点調整部２０と、送信アンテナ７０と、受信アンテナ８５とを備える。受信アンテナ８５は電力検出器５０に結合することができる。電力検出器５０の出力は、調整可能な減衰器１０及び動作点調整部２０に結合することができる。第１及び第２の実施形態に係る高周波ＨＦ送信機とは対照的に、アンテナ７０の出力信号は干渉電力の検出のための基礎としては使用されない。むしろ、アンテナ８５は受信アンテナとして用いられ、その場合において結合されて入力される複数の干渉信号は電力検出器５０に入力され、そのときこれに応じて、受信された外来の高周波ＨＦ信号の各電力を検出して確認することができる。次いで、送信出力段４０の動作点電力の調整は、第１及び第２の実施形態において説明したように達成される。
【００３６】
図５は、第４の実施形態に係る高周波ＨＦ送信機の概略ブロック回路図を示す。第４の実施形態に係る高周波ＨＦ送信機は、第２又は第３の実施形態に係る高周波ＨＦ送信機に基づいて構成することができる。第３の実施形態に係る高周波ＨＦ送信機の場合と同様に、送信アンテナ７０に加えて受信アンテナ８５を備える。ミキサ６５は、電力増幅器４０の入力及び受信アンテナ８５に結合されて２つの信号の混合を行う。ミキサ６５の出力はオプショナルでバンドパスフィルタ５５に入力される。次いで、バンドパスフィルタ５５の出力信号は電力検出器５０に入力される。
【００３７】
第２及び第４の実施形態に係る高周波ＨＦ送信機では、アンテナ７０，８５を介して結合されて入力される外来の高周波電力（干渉電力）は実際の送信信号とともにミキサ６５に供給され、増幅されない送信信号とともに混合される。外来の高周波信号は混合動作によってベースバンドに混合される。和の周波数及び差の周波数における複数の積はバンドパスフィルタ５５によって除去することができる。ベースバンドに混合された外来の高周波信号は電力検出器５０に供給され、電力検出器５０は外来の高周波電力（干渉電力）に依存してＤＣ電圧を生成する。ＤＣ電圧のレベルに依存して、動作点電力は動作点調整部２０により調整される。もし利得における変化が発生すれば、減衰器１０によって補償することができる。
【００３８】
図４の第３の実施形態に係る高周波ＨＦ送信機において、別の受信アンテナ８５の提供により方向性結合器６０を省略することができる。
【００３９】
図６は第５実施形態に係るワイヤレスマイクロホンの模式図を示す。ワイヤレスマイクロホン１は、例えばマイクロホンヘッド１ａにおいて、複数のオーディオ信号（音声信号）を検出するためのマイクロホンカプセル６２０を有する。さらに、ワイヤレスマイクロホンは、例えば、第１の実施形態に係る高周波ＨＦ送信機である、無線送信機６１０を有している。無線送信機６１０の出力はアンテナ３０に結合される。第５の実施形態に係る無線送信機６１０は、第１、第２、第３又は第４の実施形態に係る高周波ＨＦ送信機に基づいて構成できる。
【００４０】
図７は、第６の実施形態に係る、無線ギター送信機又は無線ポケット送信機の概略図を示す。無線ギター送信機又は無線ポケット送信機２は、オーディオ（音声）入力２ａと、アンテナ３０と、無線送信機６１０とを備える。第６の実施形態に係る高周波ＨＦ送信機６１０は、この場合において、第１、第２、第３又は第４の実施形態に係る高周波ＨＦ送信機に対応する。例えばマイクロホン、もしくは例えば、ギターのような楽器はオーディオ入力２ａに接続することができる。オーディオ入力２ａにより受信された複数のオーディオ信号は高周波ＨＦ送信機６１０及び送信アンテナ３０を介して無線送信される。
【００４１】
図８は、種々の干渉電力レベルでの電力増幅器４０の１ｄＢ圧縮点の適合の概略図を示している。図８は、特に、結合されて入力された外来の高周波電力と、送信出力段のＰ１ｄＢ圧縮点との関係を示す。
【００４２】
図９は、図２〜図５において図示された送信機におけるあるトランジスタの種々の出力特性曲線のファミリーを示すグラフである。図９は、グラフ形式で、ドレイン・ソース間電圧Ｕｄｓと、ドレイン・ソース間電流Ｉｄｓとを示す。当該図はさらに、一定の負荷抵抗における一定の出力電力を有する電力増幅器４０の種々の動作点Ａ−Ｄを示す。動作点Ａ，Ｂ，Ｃ又はＤはアンテナ７０によって結合される干渉電力のレベルに従って選択される。複数の動作点のシフトのおかげで、電力増幅器４０の１ｄＢ圧縮点を遷移させることでき、この場合において、電力増幅器４０の出力電力は一定に維持することができる。
【００４３】
図９はまた、一定の負荷インピーダンスを持つ種々の負荷直線を示す。もし出力電力が一定である場合、送信出力段の送信機の動作点電力は、検出された干渉電力のレベル（検出された外来の高周波電力）に従って調整される。もし動作点電力の変化があるときは、電力増幅器４０又は送信トランジスタの利得において変化があり、調整可能な減衰器１０によって補償することができる。
【００４４】
図１０は、本発明に係る送信出力段の種々の動作点を例示するためのグラフを示す。特に、当該図は、一定の負荷抵抗で一定の出力電力を有する送信トランジスタの種々の動作点を示す。結合されて入力された干渉電力が存在する場合、動作点を調整し、又は（Ｂ及びＣを経由して）ＡからＤに向かって調整又はシフトできる。その場合において、そのような調整は、測定された又は結合されて入力された干渉電力のレベルに応じて行われる。送信出力段のＰ１ｄＢ圧縮点は動作点Ａ−Ｄにおけるそのようなシフトによりシフトされる。その場合において、出力電力は一定に保持されたままである。
【００４５】
本発明に係る高周波送信機は、例えば、ワイヤレスマイクロホン、無線ギター送信機又は無線ポケット送信機において使用することができる。
【図１】
2015508266.tif 000003
【図２】
2015508266.tif 000004
【図３】
2015508266.tif 000005
【図４】
2015508266.tif 000006
【図５】
2015508266.tif 000007
【図６】
2015508266.tif 000008
【図７】
2015508266.tif 000009
【図８】
2015508266.tif 000010
【図９】
2015508266.tif 000011
【図１０】
2015508266.tif 000012
【手続補正書】
【提出日】平成26年10月24日(2014.10.24)
【手続補正１】
【補正対象書類名】特許請求の範囲
【補正対象項目名】全文
【補正方法】変更
【補正の内容】
【特許請求の範囲】
【請求項１】
ワイヤレスマイクロホン、無線ギター送信機又は無線ポケット送信機のための高周波送信機であって、
少なくとも１つのアンテナ（３０，７０，８５）と、
送信すべき高周波信号を増幅する電力増幅器（４０）と、
上記アンテナ（３０，７０，８５）を介して結合された外部干渉信号を検出する干渉信号検出部（６０，６５）と、
上記干渉信号検出部（６０，６５）によって検出された外部干渉信号の電力を検出する電力検出器（５０）と、
上記電力検出器（５０）によって検出された外部出力信号の電力に依存して上記電力増幅器（４０）の動作点電力を調整する動作点調整部（２０）とを備える高周波送信機。
【請求項２】
上記干渉信号検出部（６０）は、上記電力増幅器（４０）の出力と上記送信機の出力（ＯＵＴ）との間に設けられ、上記アンテナ（３０，７０，８５）を介して結合された外部干渉信号を検出する方向性結合器（６０）を備える請求項１記載の送信機。
【請求項３】
上記干渉信号検出部（６５）は、上記電力増幅器（４０）の入力信号（４０）と、上記アンテナ（３０，７０，８５）を介して結合された外部干渉信号とを混合するミキサ（６５）を備え、
上記ミキサ（６５）は、上記外部干渉信号をベースバンド位置に混合し、
上記ミキサ（６５）の出力信号は、上記ベースバンド位置において上記アンテナ（３０，７０，８５）を介して結合された外部干渉信号を含む請求項１記載の送信機。
【請求項４】
上記動作点調整部（２０）は、上記アンテナ（３０，７０，８５）を介して結合された外部干渉電力がしきい値を超えたとき上記電力増幅器（４０）の動作点電力を増大させ、上記外部干渉電力がしきい値未満に低下したときに上記動作点電力を減少させるように適合される請求項１〜３のうちのいずれか１つに記載の送信機。
【請求項５】
上記動作点調整部（２０）は、上記アンテナ（３０，７０，８５）を介して結合された外部干渉電力に依存して上記電力増幅器（４０）の動作点電力を調整するように適合され、
上記動作点電力は、上記外部干渉電力が増加するにつれて増大され、上記外部干渉電力が減少するにつれて減少される請求項１〜３のうちのいずれか１つに記載の送信機。
【請求項６】
上記動作点調整部（２０）は上記電力増幅器（４０）の動作点電力をステップなしに調整するように適合される請求項５記載の送信機。
【請求項７】
上記送信機はさらに、上記電力増幅器（４０）の入力の前段に設けられ、上記電力検出器（５０）によって検出された外部干渉電力に依存して電力増幅器（４０）の入力電力を制御する、調整可能な減衰器（１０）及び／又は調整可能な増幅器を備える請求項１〜６のうちのいずれか１つに記載の送信機。
【請求項８】
請求項１〜７のうちのいずれか１つに記載の高周波送信機を備える、ワイヤレスマイクロホン、ギター送信機又はポケット送信機。
【請求項９】
高周波信号を送信する方法であって、
電力増幅器（４０）によって送信される高周波信号を増幅するステップと、
アンテナを介して結合される外部干渉信号を干渉信号検出部（６０，６５）によって検出するステップと、
上記干渉信号検出部（６０，６５）によって検出された外部干渉信号の電力を電力検出器（５０）によって検出するステップと、
上記電力検出器（５０）によって検出される外部干渉信号の電力に依存して上記電力増幅器（４０）の動作点電力を調整するステップとを含む方法。
【国際調査報告】
2015508266.tif 000013
2015508266.tif 000014
2015508266.tif 000015
2015508266.tif 000016